(57)【要約】      （修正有）【課題】コインの出現手品を簡単に行えるギミックを提供する。【解決手段】１はコーン型の袋体であり、柔らかい布製または伸縮性の有る編み物製である。袋体１は内部にコイン等を多数個収納可能であり、上端に物品を出し入れする開口を有している。開口の周囲には釣り糸からなる巾着紐３が挿通されている。巾着紐３は輪状で、途中の一部分が開口から外側に引き出されている。巾着紐３は上着２０の内ポケットのボタン２１に係脱自在に掛けることができる。袋体１の下端にはゴム紐４の一端が取着されており、このゴム紐４の他端に留め具としての安全ピン５が取着されている。安全ピン５は上着２０の内側の背中部分に留めるためのものである。袋体１の下端部には縦方向のスリットが形成されている。【選択図】図２
0003199814.tif 000002
【実用新案登録請求の範囲】
【請求項１】
上端側に物品を出し入れする開口を有し、下端側が閉じた袋体と、
袋体の開口の周囲に巾着状に挿通されるとともに、一部が外部に延設された輪状の紐部材と、
袋体の下端部に装着されるとともに先端に衣服に留める留め具の設けられたゴム紐と、
を備えたことを特徴とするギミック。
【請求項２】
袋体の下端部にスリットを形成したこと、
を特徴とする請求項１記載のギミック。
【考案の詳細な説明】
【技術分野】
【０００１】
本考案はギミックに係り、とくに手の間から物品を出現させる手品に好適なギミックに関する。
【背景技術】
【０００２】
手品芸は人を楽しませるだけでなく、「不思議」と思うときに脳の血流量が増すことでぼけ防止などの健康面にも役立つ。従来から種々の手品用ギミックが使用されているが、素人でも簡単に手品ができるものが少なかった。
【先行技術文献】
【特許文献】
【０００３】
【特許文献１】特許第２６５５６６２号公報
【考案の概要】
【考案が解決しようとする課題】
【０００４】
本考案は上記した従来技術の問題に鑑みなされたもので、手の間から物品を出現させる手品を容易に行なえるギミックを提供することを、その目的とする。
【課題を解決するための手段】
【０００５】
本考案では、上端側に物品を出し入れする開口を有し、下端側が閉じた袋体と、
袋体の開口の周囲に巾着状に挿通されるとともに、一部が外部に引き出された輪状の紐部材と、
袋体の下端部に装着されるとともに先端に衣服に留める留め具の設けられたゴム紐と、
を備えたことを特徴としている。
他の考案では、
袋体の下端部に上下方向のスリットを形成したこと、
を特徴としている。
【考案の効果】
【０００６】
本考案によれば、袋体にコイン等の物品を多数個入れ、紐部材を上着の内ポケットのボタンに掛けて開口を巾着状に締め、ゴム紐の先端の留め具により上着の内側の背中部分に留める。上着を着て観客に気づかれないようにして一方の手の親指を素早く上着の内側に差し込み紐部材に掛け、ボタンから外し袋体を他方の手の中に入れて持ち、更に両手で袋体を覆って隠す。この際、袋体の開口側を手先に向ける。テーブルに手先を向け、両手を振って袋体を揺さぶり、物品の重量で開口を開かせてテーブル上に落下させる。全部の物品が出たところで、両手を開くとゴム紐が上着の内側の背中側に袋体を引っ張るので、上着を開いて観客に仕掛けがないことをアピールする。これにより、簡単に物品の出現手品が出来る。
他の考案によれば、袋体の下端部に上下方向のスリットを設けたことにより、袋体の下端部に入った物品が袋体に圧迫されないので、最後の物品まで円滑に出すことができる。
【図面の簡単な説明】
【０００７】
【図１】本考案の一実施例に係るギミックの外観斜視図である（実施例１）。
【図２】図１のギミックの仕掛け方法の説明図である。
【図３】図１のギミックの仕掛け方法の説明図である。
【図４】巾着紐を掛けるボタンの例を示す説明図である。
【図５】図１のギミックによるコイン出現手品のやり方を示す説明図である。
【図６】図１のギミックによるコイン出現手品のやり方を示す説明図である。
【図７】図１のギミックによるコイン出現手品のやり方を示す説明図である。
【図８】図１のギミックによるコイン出現手品のやり方を示す説明図である。
【図９】図１のギミックによるコイン出現手品のやり方を示す説明図である。
【図１０】図１のギミックによるコイン出現手品のやり方を示す説明図である。
【考案を実施するための最良の形態】
【０００８】
以下、本考案の最良の形態を実施例に基づき説明する。
【実施例１】
【０００９】
図１を参照して本考案の一実施例を説明する。図１は本考案に係る物品出現手品用のギミックの外観斜視図である。
図１において、１はコーン型の袋体であり、柔らかい布製または伸縮性の有る編み物製である。袋体１は内部にコイン等の小物物品を多数個収納可能であり、上端に物品を出し入れする開口２を有している。開口２の周囲には巾着状に紐部材としての釣り糸からなる巾着紐３が挿通されている。巾着紐３は輪状に形成されており、途中の一部分が開口２から引き出されて外部に延設されている。巾着紐３は上着の内ポケットのボタン（図２の符号２１参照）に係脱自在に掛けることができる。袋体１の下端にはゴム紐４の一端が取着されており、このゴム紐４の他端に留め具としての安全ピン５が取着されている。安全ピン５は上着の内側の背中部分に留めるためのものである。袋体１の下端部には縦方向（上下方向）のスリット６が形成されており、袋体１に多数個の物品を収納したとき、袋体１の下端部が自然に膨らんで、袋体１の下端部の物品が袋体１に圧迫されるのを回避するためのものである。
【００１０】
次に、図２乃至図１０を参照して上記した実施例の使用方法を説明する。
図２に示す如く、演者は予め、袋体１の開口２を開けて多数個のコイン（図８、図９の符号１０参照）を内部に収納し、巾着紐３の延設部分を上着２０の例えば右内ポケットのボタン２１に掛け、安全ピン５を上着２０の内側の背中に留めておく。袋体１は巾着紐３により開口２が閉まった状態でボタン２１に懸吊される。ゴム紐４は少し伸びた状態となっている。演者はギミックを仕掛けた上着２０を着る（図３参照）。
なお、ボタン２１は図４（１）に示す如く、通常の四つのボタン孔２２を×印にボタン留め糸２３で内ポケットの生地に縫着した例を示したが、図４（２）のボタン２４に示す如く、大円Ｃ１に沿った四つのボタン孔２５ａ乃至２５ｄと、小円Ｃ２に沿った四つのボタン孔２６ａ乃至２６ｄを有するタイプとし、ボタン孔２５ａと２６ａ、２５ｂと２６ｂ、２５ｃと２６ｃ、２５ｄと２６ｄを各々ボタン留め糸２７ａ乃至２７ｄで内ポケットの生地に縫着するようにして、巾着紐３をボタン２４に掛けたときの紐間隔Ｄが広くなるようにし、巾着紐３がよれ難くなるようにすることもできる。
【００１１】
最初に、観客に気づかれないようにして、左手の親指を素早く上着２０の右内側に差し込み巾着紐３に掛け（図５参照）、ボタン２１から外して袋体１を右手の中に入れて持ち（図６参照）、右手と左手で袋体１を覆って隠す（図７参照）。この際、開口２を手先に向ける。テーブル３０に手先を向け、両手を振って袋体１を揺さぶり、コイン１０の重量で開口２を開けさせてテーブル３０の上に落下させる（図８、図９参照）。この際、袋体１のスリット６により、袋体１の奥に入ったコイン１０も袋体１に圧迫されることなく最後まで円滑に出すことができる。
全部のコイン１０が出たところで、両手を開いて袋体１を解放するとゴム紐４が上着２０の内側の背中側に袋体１を引っ張るので、上着２０を開いて観客に見せて仕掛けがないことをアピールする（図１０参照）。これにより、簡単にコイン出現手品が出来る。
【００１２】
この実施例によれば、袋体１に多数のコイン１０を収納し、巾着紐３を上着２０の右内ポケットのボタン２１に掛け、ゴム紐４の先端の安全クリップ５を上着２０の内側の背中に留めることで、簡単にコイン出現手品の仕掛けができる。観客に気づかれないようにして、ボタン２１とは反対側の左手の親指を素早く上着２０の内側に差し込み巾着紐３に掛け、ボタン２１から外して袋体１を右手の中に入れて持ち、右手と左手で袋体１を覆って観客から隠す。この際、袋体１の開口２を手先に向ける。テーブル３０に手先を向け、両手を振って袋体１を揺さぶり、コイン１０の重量で開口２を開けさせてテーブル３０の上に落下させる。この際、袋体１のスリット６により、袋体１の奥に入ったコイン１０も袋体１に圧迫されることなく最後まで円滑に出すことができる。全部のコイン１０が出たところで、両手を開いて袋体１を解放するとゴム紐４が上着２０の内側の背中側に袋体１を引っ張るので、上着２０を開いて観客に見せて仕掛けがないことをアピールできる。このようにして、本実施例のギミックを用いて簡単にコイン出現手品が出来る。
【００１３】
なお、上記した実施例では、袋体をコーン型としたが、普通の筒型としても良い。また、スリットを省略するようにしても良い。また、コイン以外の小物物品を袋体に収納しても良い。
【産業上の利用可能性】
【００１４】
本考案は、コイン等の物品の出現手品に使用するギミックに適用可能である。
【符号の説明】
【００１５】
１  袋体
２  開口
３  巾着紐
４  ゴム紐
５  安全ピン
６  スリット
１０  コイン
２０  上着
２１、２４  ボタン
３０  テーブル
【図１】
0003199814.tif 000003
【図２】
0003199814.tif 000004
【図３】
0003199814.tif 000005
【図４】
0003199814.tif 000006
【図５】
0003199814.tif 000007
【図６】
0003199814.tif 000008
【図７】
0003199814.tif 000009
【図８】
0003199814.tif 000010
【図９】
0003199814.tif 000011
【図１０】
0003199814.tif 000012